(57)【特許請求の範囲】
【請求項１】
励振器（１，４）を接続するための入口（１７）と工具（６）を接続するための出口（１８）とを有する超音波加工器具のためのソノトロードにおいて、
ソノトロード（５）が、曲げ振動子として、このソノトロードが複数の接点及び振腹の形成のもとに共振し、かつソノトロードの入口（１７）が、ある振腹に、またソノトロードの出口（１８）が別の振腹に位置し、入口（１７）がソノトロード（５）の曲げ固有振動数の１つでその入口軸（１０）に沿って励起されている場合に、出口（１８）がその出口軸（１９）に沿って振動するように形成されていること、また、入口軸（１０）と出口軸（１９）とが、ゼロと等しくない角度で交差するように構成されていることを特徴とするソノトロード。
【請求項２】
ソノトロードがリング状に形成されており、入口軸（１０）と出口軸（１９）とが半径方向に延在することを特徴とする請求項１に記載のソノトロード。
【請求項３】
ソノトロード（５）のリング横断面が、出口（１８）から両方の方向に直径上で向かい合って位置する個所に至るまで連続的に増加するように構成されていることを特徴とする請求項２に記載のソノトロード。
【請求項４】
ソノトロードが、円筒形の外面（１５）及び同軸で円筒形の内面（１６）を備えることを特徴とする請求項２又は３に記載のソノトロード。
【請求項５】
ソノトロードが、入口軸（１０）に対して平行に投影して楔形に形成されていることを特徴とする請求項３又は４に記載のソノトロード。
【請求項６】
入口軸（１０）と出口軸（１９）とが、７０°〜１１０°の角度で交差するように構成されていることを特徴とする請求項１〜５のいずれか１つに記載のソノトロード。
【請求項７】
ソノトロードが、出口（１８）に対して同軸に、研磨剤を供給するためのリングノズル（４２）を備えることを特徴とする請求項１〜６のいずれか１つに記載のソノトロード。
【発明の詳細な説明】
【０００１】
【産業上の利用分野】
本発明は、超音波加工器具のためのソノトロードに関する。
【０００２】
【従来の技術】
超音波加工器具は、たいてい、例えば圧電励振器、同軸のソノトロード及び同様に同軸の工具から成る。ソノトロードは、回転対称の物体であり、バネ質量系として作用する。励振器によって、ソノトロードは励起されて節平面を中心として形成される縦方向の固有振動が生じる。しばしば、ソノトロードは、入口側で、出口側よりも大きな横断面を有する。これにより、ソノトロードは振幅増幅器として作用する。
【０００３】
公知の超音波器具は、振動軸の方向に比較的長く構成さているので、取り扱いの難しい材料は、しばしば加工が困難である。
【０００４】
【発明が解決しようとする課題】
本発明の基本にある課題は、工具の振動方向の構造長さを短くすることができるソノトロードを提供することである。
【０００５】
【課題を解決するための手段】
この課題は、本発明によれば、請求項１の特徴を有するソノトロードによって解決される。
【０００６】
本発明の他の有利な構成は、特許請求の範囲の従属請求項に記載されている。
【０００７】
【実施例】
以下で、本発明の実施例を図面に基づき説明する。
【０００８】
図１による超音波加工装置は、圧電水晶厚さ振動子２と端面でこの圧電水晶厚さ振動子と接続された２つの金属シリンダ３とを有する励振器１，増幅器又はブースタ４，ソノトロード５及び工具６から成る。励振器は、円筒形であり、その軸方向の長さ中心に節平面を有するその軸１０に沿った調波縦振動を発生させる。最大振幅は、励振器１の両方の端面で生じる。一方の端面には、回転対称体として形成された同軸の増幅器４の太い方の端面が接続されている。増幅器４は、他方の端面に向かって特に先細りにされており、同様に、その固有振動数で縦方向に節平面を中心として振動する。先細りにすることによって、振動の振幅は増幅される。
【０００９】
ソノトロード５は、リング状の曲げ振動子として形成されており、円筒形の外面１５及び同軸で円筒形の内面１６を有する。増幅器４の細い方の端部は、内ネジとして形成されたソノトロードの入口１７内へとネジ込まれている。入口１７は、軸１０に対して同軸であり、円筒形の外面１５に対して半径方向に存在する。ソノトロード５の出口１８は穴として形成されており、この穴内へと、ここでは管状の工具６が強固に接続（例えば蝋付け）されている。出口軸１９は、同様に半径方向に存在し、入口の軸１０を約９０°の角度で切断する。ソノトロード４には、励振器１と増幅器４を貫通する穴２１に連絡する同軸の管２０が形成されている。管２０は、工具６の軸方向の穴２３と、ホース２２を介して接続されている。超音波加工に際しては、穴２１，ホース２２及び中空の工具６を経て、研磨剤が、作業面として作用する工具６の端面２４から吸い出されるか、又は、この端面２４に対して供給される。
【００１０】
ソノトロード５の曲げ固有振動数は、増幅器４及び励振器１の縦振動固有振動数と等しい。この場合、ソノトロード５は、４つの節点３３〜３６を中心として振動する。図２には、ソノトロード５の中立線の振動が図示されている。ソノトロード５の横断面が全周にわたって等しい場合、ソノトロードの振動の出口振幅３１は、入口振幅３０に等しい（摩擦損失を無視して）。明らかなように、出口振幅は、出口軸１９が入口軸１０に対して直角である場合に最大であるが、しかしながら、この角度が、僅かに、例えば±２０°この値からずれた場合は、出口振幅は、未だ最大値の近くにあるに過ぎない。
【００１１】
しかしながら、ソノトロード５のリング横断面が出口１８から両方の側面に向かって直径上で向かい合って位置する個所に至るまで増加する場合は、特に有利である。この変形例の有利な実施形は、図３に図示されている。ソノトロード５は、入口軸１０の方向に投影して楔形である。これにより、ソノトロード５は増幅器として作用し、出口振幅３１は入口振幅３０よりも大きい。
【００１２】
図４には、ソノトロード５の他の変形例が図示されており、この変形例では、工具６がソノトロードに分解可能に接続されている。即ち、上からナットネジ１８′にネジ込まれている。図４から明らかなように、付加的に、研磨剤の供給は、増幅器４内の付加的な穴４０，別のホース４１及び工具６を取り囲むリングノズル４２を介して行なうことができる。
【００１３】
リング状の曲げ振動子としてソノトロード５を本発明により形成することによって、工具６が励振器１及び増幅器４の軸１０に対して角度をなして振動するということが得られる。これにより、取り扱いの難しい材料も効率よく超音波で加工することができる。
【００１４】
工具６が縦振動に加えて横方向にも振動すべきである場合には、この工具は角度を付けることができる。
【００１５】
ソノトロード５に対し、事情によっては、４つより多くの節を有する他の曲げ固有振動も考慮の対象になる。これらの場合では、軸１０，１９が交差する９０°の角度が異なる。節が６つの場合、軸１０，１９は、例えば特に１２０°で交差する。
【００１６】
【発明の効果】
本発明により、工具の振動方向の構造長さを短くすることができるソノトロードが得られる。
【図面の簡単な説明】
【図１】  接続された励振器と工具とを有するソノトロードを経る概略断面図を示す。
【図２】  ソノトロードの振動を表す図を示す。
【図３】  ソノトロードの外観図を示す。
【図４】  ソノトロードの変形例を示す。
【符号の説明】
１      励振器
２      圧電水晶厚さ振動子
３      金属シリンダ
４      増幅器又はブースタ
５      ソノトロード
６      工具
１０      入口軸
１５      外面
１６      内面
１７      入口
１８      出口
１８′    ナットネジ
１９      出口軸
２０      管
２１      穴
２２      ホース
２３      穴
２４      端面
３３〜３６      節点
３０      入口振幅
３１      出口振幅
４０      穴
４１      ホース
４２      リングノズル
【図１】
0003739418.tif 000002
【図２】
0003739418.tif 000003
【図３】
0003739418.tif 000004
【図４】
0003739418.tif 000005